(57)【特許請求の範囲】
【請求項１】
相手方向に沿って延在する貫通溝が形成される基部及び舌板を有する絶縁性本体と、
前記絶縁性本体に固着され、前記舌板の上表面と下表面とにそれぞれ露出される二列の端子と、
前記絶縁性本体を遮蔽し、導入溝が形成され、前記基部の後端に位置する後壁を有するハウジングと、を備え、
接着剤が前記導入溝から導入され、前記貫通溝に通し、前記基部に防水部が形成されることを特徴とする電気コネクタ。
【請求項２】
前記絶縁性本体には、前記基部から突出する凸状部片が形成され、前記防水部が前記凸状部片の後表面に接着されることを特徴とする請求項１に記載の電気コネクタ。
【請求項３】
前記防水部は前記凸状部片と面一になることを特徴とする請求項２に記載の電気コネクタ。
【請求項４】
前記防水部は、前記舌板が位置する平面と直交する上下方向において、前記貫通溝の両側と面一になる、或いは、前記貫通溝の両側に対して突出している特徴とする請求項２に記載の電気コネクタ。
【請求項５】
前記ハウジングが、主体部を含む第１ハウジング及び第２ハウジングを有し、前記第１ハウジングの主体部が、上壁と前記上壁より短い下壁とを備え、前記後壁が、前記上壁の後端から下向きに延在し、前記第２ハウジングが、底壁と、前記底壁の後端から上向きに延在する延在壁とを備え、前記第２ハウジングの延在壁が、前記第１ハウジングの前記下壁の後端に当接し、前記防水部は、前記凸状部片と前記延在壁との間に位置することを特徴とする請求項２に記載の電気コネクタ。
【請求項６】
前記電気コネクタは、金属片を有し、前記絶縁性本体は、前記金属片を挟む第１本体及び第２本体と、前記第１本体及び前記第２本体にインサートモールドによって形成される第３本体とを備え、
前記第１本体が、第１基部と第１舌板とを有し、前記第２本体が、第２基部と第２舌板とを有し、前記第３本体が、前記第１基部と前記第２基部とを固着する第３基部と、前記第１舌板と前記第２舌板とを固着する第３舌板と、を有し、
前記舌板が、前記第１舌板と前記第２舌板と前記第３舌板とによって構成され、前記基部が、前記第１基部と前記第２基部と前記第３基部とによって構成され、前記貫通溝が前記第１基部の上表面に形成され、前記凸状部片が、前記第３本体に設けられることを特徴とする請求項２に記載の電気コネクタ。
【発明の詳細な説明】
【技術分野】
【０００１】
本発明は、電気コネクタに関し、特に、正面で或いは反面で挿入可能な電気コネクタタに関するものである。
【背景技術】
【０００２】
従来の電気コネクタのハウジングは、絶縁性本体と、前記絶縁性本体に固着される複数の端子と、前記絶縁性本体を遮蔽するシェルと、前記シェルを装着するハウジングと、前記ハウジングにインサートモールドによって形成される防水部と、を備える。
【先行技術文献】
【特許文献】
【０００３】
【特許文献１】台湾実用新案第Ｍ４４８８１８号明細書
【特許文献２】台湾実用新案第Ｍ３８３２２８号明細書
【発明の概要】
【発明が解決しようとする課題】
【０００４】
従来技術における防水部は、前記ハウジングを被覆する。絶縁性本体とハウジングの間のスリットが小さいので、接着剤が絶縁性本体とハウジングの間のスリットに流れ難い。それ故に、良好な防水効果が得られないとの問題があった。
【０００５】
そこで、本発明の目的は、良好な防水効果が得られる電気コネクタを提供することにある。
【課題を解決するための手段】
【０００６】
前記目的を達成するために、本発明の電気コネクタは、相手方向に沿って延在する貫通溝が形成される基部及び舌板を有する絶縁性本体と、前記絶縁性本体に固着され、前記舌板の上表面と下表面とにそれぞれ露出される二列の端子と、前記絶縁性本体を遮蔽し、導入溝が形成され、前記基部の後端に位置する後壁を有するハウジングと、を備える。前記電気コネクタにおいて、接着剤が前記導入溝から導入され、前記貫通溝に通し、前記基部に防水部が形成される。
【発明の効果】
【０００７】
従来の技術と比べると、本発明は以下の長所を有する。本発明の電気コネクタにおいて、接着剤が前記ハウジングの導入溝から導入され、前記絶縁性本体の貫通溝から下向きにスムーズに流れて、前記絶縁性本体と前記ハウジングの間のスリットをシールし、良好な防水効果が得られる。
【図面の簡単な説明】
【０００８】
【図１】本発明の電気コネクタ及び回路基板の組立斜視図である。
【図２】本発明の電気コネクタ及び回路基板を別の角度から見た組立斜視図である。
【図３】図１に示す電気コネクタの第１ハウジング及び第２ハウジングが取り外す斜視図である。
【図４】図３に示す電気コネクタの第１ハウジング及び第２ハウジングが取り外す別の角度から見た斜視図である。
【図５】図１に示す第２ハウジングが離れる電気コネクタを斜視図である。
【図６】図１に示す電気コネクタの分解斜視図である。
【図７】図１に示す電気コネクタ及び回路基板のＡ−Ａ線に沿って切断する断面図である。
【発明を実施するための形態】
【０００９】
図１〜図７に示すように、本発明の電気コネクタ１００は、基部と舌板とを含む絶縁性本体１と、二列の端子２と、金属片３と、筒状の第１ハウジング５と、第２ハウジング６とを備える。
【００１０】
前記絶縁性本体１は、第１本体１１及び第２本体１２と、前記第１本体１１及び前記第２本体１２にインサートモールド成型される第３本体１３とを備える。前記第１本体１１が、第１基部１１１と、傾斜した第１連接部１０と、第１連接部１０から前向きに延在する第１舌板１１２とを有する。第１基部１１１の両側には、係合溝１１３が設けられる。第１基部１１１の上表面には、相手方向に沿って延在する貫通溝１１４が形成される。
【００１１】
前記第２本体１２は、第２基部１２１と、第２舌板１２２とを有する。前記第２基部１２１の両側には、前記係合溝１１３と係合する係合部１２３が設けられる。
【００１２】
前記第３本体１３は、第３基部１３１と、第３舌板１３２とを有する。前記第３舌板１３２には、開口部１３３が形成される。
【００１３】
前記金属片３は、固定部３１と、前記固定部３１から水平に延在する板状部３２とを備える。
【００１４】
前記第１ハウジング５は、筒状の主体部５１と、前記主体部５１の後端から下向きに延在する後壁５４とを備える。前記後壁５４には、導入溝５４０が形成される。前記主体部５１は、上壁５１１と、前記上壁５１１より短い下壁５１２とを備える。
【００１５】
前記第２ハウジング６は、底壁６１と、前記底壁６１の後端から上向きに延在する延在壁６２と、前記底壁６１の両側から下向きに折り曲げられる一対の固定足６３とを備える。
【００１６】
前記電気コネクタ１００を取り付ける時、前記金属片３は、前記第１本体１１と第２本体１２との間に挟まれる。前記第１本体１１の係合溝１１３は、前記第２本体１２の係合部１２３と係合する。前記絶縁性本体１の基部は、前記第３基部１３１が前記第１基部１１１と第２基部１２１とを固着するように形成される。前記第３本体１３には、前記第３基部１３１から突出する凸状部片１３１１が形成される。前記絶縁性本体１の舌板は、第３舌板１３２が、前記第１舌板１１２と第２舌板１２２とを固着するように形成される。二列の端子２は一列の第１端子２１及び一列の第２端子２２を備える。第１端子２１及び第２端子２２はそれぞれ、前記開口部１３２から、絶縁性本体１の舌板の上表面と下表面に露出する。第１端子２１の後部は、前記貫通溝１１４から露出される。
【００１７】
前記第１ハウジング５は、前記絶縁性本体１に取り付けられる。前記導入溝５４０は、前記貫通溝１１４と対向する。前記第２ハウジング６は、前記第１ハウジング５の下端に取り付けられる。前記第２ハウジング６の延在壁６２は、前記第１ハウジング５の下壁５１２の後端に当接する。前記絶縁性本体１と第１ハウジング５と第２ハウジング６とは、回路基板２００に取り付けら得る。接着剤が前記導入溝５４０から導入され、前記貫通溝１１４に通して流れ、前記凸状部片１３１１の後表面に接着される防水部４を形成する。前記防水部４は、前記凸状部片１３１１と前記延在壁６２との間に位置する。前記防水部４は前記凸状部片１３１１と面一になる。前記防水部４は、前記舌板が位置する平面と直交する上下方向において、前記貫通溝１１４の両側と面一になる、或いは、前記貫通溝１１４の両側に対して突出している。
【００１８】
接着剤が第１基部１１１の上表面に形成される貫通溝１１４から下向きにスムーズに流れて、良好な防水効果が得られる。
【００１９】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２０】
１００  電気コネクタ
２００  回路基板
１  絶縁性本体
１０  連接部
１１  第１本体
１１１  第１基部
１１２  第１舌板
１１３  係合溝
１１４  貫通溝
１２  第１本体
１２１  第２基部
１２２  第２舌板
１２３  係合部
１３  第３本体
１３１  第３基部
１３１１  凸状部片
１３２  第３舌板
１３３  開口部
２１  第１端子
２２  第２端子
３  金属片
３１  固定部
３２  板状部
４  防水部
５  第１ハウジング
５１  主体部
５１１  上壁
５１２  下壁
５４  後壁
６  第２ハウジング
６１  底壁
６２  延在壁
６３  固定足
【図１】
0006623022.tif 000002
【図２】
0006623022.tif 000003
【図３】
0006623022.tif 000004
【図４】
0006623022.tif 000005
【図５】
0006623022.tif 000006
【図６】
0006623022.tif 000007
【図７】
0006623022.tif 000008